(57)【要約】【課題】扉体が開状態で損傷するのを防止することが可能なゲートを提供する。【解決手段】流水路１０１を開閉可能なゲート１であって、昇降自在な扉体２と、扉体２を昇降させる昇降装置と、扉体２を上下方向に案内する案内溝１９とを有し、扉体２の両側端部が案内溝１９に挿入され、開状態の扉体２をその厚さ方向Ｔに押し付けて案内溝１９の内面１６ａに固定する押圧部３１，３２が案内溝１９内に備えられ、扉体２は、上昇（又は下降）しつつ押圧部３１，３２に当接することにより、開状態のままで案内溝１９に固定される。【選択図】図２
2020084424.tif 000002
【特許請求の範囲】
【請求項１】
流水路に設置されて流水路を開閉可能なゲートであって、
昇降自在な扉体と、扉体を昇降させる昇降装置と、扉体を上下方向に案内する案内溝とを有し、
扉体の両側端部が案内溝に挿入され、
開状態の扉体をその厚さ方向に押し付けて案内溝の内面に固定する押圧部が案内溝内に備えられ、
扉体は、上昇又は下降しつつ押圧部に当接することにより、開状態のままで案内溝に固定されることを特徴とするゲート。
【請求項２】
複数の押圧部が案内溝内の高さの異なる箇所に備えられていることを特徴とする請求項１に記載のゲート。
【請求項３】
複数の押圧部が、案内溝内に備えられているとともに、扉体の幅方向において異なる箇所に配置されていることを特徴とする請求項１又は請求項２に記載のゲート。
【請求項４】
押圧部は楔であることを特徴とする請求項１から請求項３のいずれか１項に記載のゲート。
【請求項５】
扉体は、下降しつつ楔に当接することにより、開状態のままで案内溝に固定され、
楔は案内溝内に着脱自在に取り付けられることを特徴とする請求項４に記載のゲート。
【請求項６】
扉体は押圧補助部を有し、
押圧補助部が上昇又は下降しつつ押圧部に当接することにより、開状態の扉体がその厚さ方向に押し付けられて案内溝の内面に固定されることを特徴とする請求項１から請求項５のいずれか１項に記載のゲート。
【請求項７】
流水路内の水を扉体の前後いずれか一方から他方へ送水するポンプが扉体に設けられていることを特徴とする請求項１から請求項６のいずれか１項に記載のゲート。
【請求項８】
上記請求項１に記載のゲートの扉体の固定方法であって、
押圧部を案内溝内から取り外し、
扉体を開位置よりも上位に設定された退避位置まで上昇させ、
押圧部を案内溝内の開位置に対応する箇所に装着し、
扉体を退避位置から開位置に下降することにより、扉体を上方から押圧部に当接させることを特徴とするゲートの扉体の固定方法。
【発明の詳細な説明】
【技術分野】
【０００１】
本発明は、流水路に設置されるゲートおよびゲートの扉体の固定方法に関する。
【背景技術】
【０００２】
従来、この種のゲートとしては、例えば図３０，図３１に示すように、流水路１０１に設置されて流水路１０１を開閉可能なポンプゲート１０２が挙げられる。流水路１０１は、吸込側水路の一例である支川側水路１０３と、吐出側水路の一例である本川側水路１０４とを有している。ポンプゲート１０２は、支川側水路１０３と本川側水路１０４との境界部に設置されており、昇降自在な扉体１０５と、扉体１０５に設けられたポンプ１０６と、扉体１０５を昇降させる昇降装置１０７と、扉体１０５を上下方向に案内する左右一対の案内溝１０８とを有している。
【０００３】
案内溝１０８は、流水路１０１の両側壁を構成する基礎１０９に形成されている。扉体１０５は、両側端部に、上下一対のローラ１１０を有している。ローラ１１０は案内溝１０８に嵌め込まれており、ローラ１１０が案内溝１０８に案内されて案内溝１０８内を転動することにより、扉体１０５は案内溝１０８に沿って昇降する。
【０００４】
案内溝１０８は扉体１０５の厚さ方向Ｔにおいて相対向する一対の案内面１１１を有している。ローラ１１０の直径は一対の案内面１１１の間隔Ａよりも若干小さく設定されている。
【０００５】
これによると、平常時は、図３１の仮想線に示すように、ポンプ１０６を停止し、扉体１０５を流水路１０１内の水面１１２上に上昇させた開状態で、水１１３が支川側水路１０３から本川側水路１０４へ自然流下する。
【０００６】
また、集中豪雨等の増水により本川側水路１０４の水位が上昇した場合、本川側水路１０４から支川側水路１０３への逆流を防止するために、図３１の実線に示すように、扉体１０５を下降させた閉状態で、ポンプ１０６を作動して、支川側水路１０３から本川側水路１０４へ水１１３を緊急かつ強制的に排水する。
【０００７】
尚、上記のようなポンプゲートは例えば下記特許文献１に記載されている。
【先行技術文献】
【特許文献】
【０００８】
【特許文献１】特開２００４−９２１４７
【発明の概要】
【発明が解決しようとする課題】
【０００９】
しかしながら上記の従来形式では、扉体１０５を開状態にした場合、ローラ１１０と案内溝１０８の案内面１１１との間に隙間１１４（遊び）が形成されているため、開状態の扉体１０５は、扉体１０５の厚さ方向Ｔにおいて固定されておらず、扉体１０５の厚さ方向Ｔにがたつく虞がある。
【００１０】
このため、扉体１０５を開状態にしている際、例えば大きな地震等が発生したり強風が扉体１０５に吹き付けたりすると、開状態の扉体１０５がその厚さ方向Ｔに激しくがたつき、異音が発生したり、扉体１０５の一部（ローラ１１０等）や案内溝１０８の一部が損傷する虞がある。
【００１１】
本発明は、扉体が開状態で損傷するのを防止することが可能なポンプゲートおよびポンプゲートの扉体の固定方法を提供することを目的とする。
【課題を解決するための手段】
【００１２】
上記目的を達成するために、本第１発明は、流水路に設置されて流水路を開閉可能なゲートであって、
昇降自在な扉体と、扉体を昇降させる昇降装置と、扉体を上下方向に案内する案内溝とを有し、
扉体の両側端部が案内溝に挿入され、
開状態の扉体をその厚さ方向に押し付けて案内溝の内面に固定する押圧部が案内溝内に備えられ、
扉体は、上昇又は下降しつつ押圧部に当接することにより、開状態のままで案内溝に固定されるものである。
【００１３】
これによると、扉体は、閉状態から案内溝に案内され上昇して開状態となり、その後、開状態のままで、押圧部に当接することにより、扉体の厚さ方向に押し付けられて案内溝の内面に固定される。
【００１４】
これにより、開状態の扉体がその厚さ方向にがたつくのを防止することができ、例えば地震や強風等が発生しても、異音が発生したり開状態の扉体の一部や案内溝の一部が損傷するのを防止することができる。
【００１５】
本第２発明におけるゲートは、複数の押圧部が案内溝内の高さの異なる箇所に備えられているものである。
【００１６】
本第３発明におけるゲートは、複数の押圧部が、案内溝内に備えられているとともに、扉体の幅方向において異なる箇所に配置されているものである。
【００１７】
本第４発明におけるゲートは、押圧部は楔である。
【００１８】
本第５発明におけるゲートは、扉体は、下降しつつ楔に当接することにより、開状態のままで案内溝に固定され、
楔は案内溝内に着脱自在に取り付けられるものである。
【００１９】
これによると、楔を案内溝内から取り外した状態で、扉体を閉位置から開位置よりも上方の退避位置まで上昇させて開状態にする。この際、楔を取り外しているため、楔が扉体の上昇を妨害することはなく、扉体を確実に退避位置に上昇させることができる。
【００２０】
その後、扉体を開状態にしたままで、楔を案内溝内の開位置に相当する箇所に取り付ける。この際、扉体は開位置よりも上方の退避位置に退避しているため、扉体が楔の取付作業を妨害することはなく、楔を確実に案内溝内に取り付けることができる。
【００２１】
その後、扉体を退避位置から開位置に下降することにより、扉体が、上方から下降しつつ楔に当接して、開状態のままで、扉体の厚さ方向に押し付けられて案内溝の内面に固定される。
【００２２】
本第６発明におけるゲートは、扉体は押圧補助部を有し、
押圧補助部が上昇又は下降しつつ押圧部に当接することにより、開状態の扉体がその厚さ方向に押し付けられて案内溝の内面に固定されるものである。
【００２３】
これによると、扉体は、閉状態から案内溝に案内され上昇して開状態となり、その後、開状態のままで、押圧補助部が押圧部に当接することにより、扉体の厚さ方向に押し付けられて案内溝の内面に固定される。
【００２４】
本第７発明におけるゲートは、流水路内の水を扉体の前後いずれか一方から他方へ送水するポンプが扉体に設けられているものである。
【００２５】
本第８発明は、上記第１発明に記載のゲートの扉体の固定方法であって、
押圧部を案内溝内から取り外し、
扉体を開位置よりも上位に設定された退避位置まで上昇させ、
押圧部を案内溝内の開位置に対応する箇所に装着し、
扉体を退避位置から開位置に下降することにより、扉体を上方から押圧部に当接させるものである。
【発明の効果】
【００２６】
以上のように本発明によると、開状態の扉体がその厚さ方向にがたつくのを防止することができ、例えば地震や強風等が発生しても、異音が発生したり開状態の扉体の一部や案内溝の一部が損傷するのを防止することができる。
【図面の簡単な説明】
【００２７】
【図１】本発明の第１の実施の形態におけるポンプゲートの一部断面側面図であり、扉体を開位置に移動した様子を示す。
【図２】同、ポンプゲートの扉体とガイドレールの側面図であり、扉体を開位置に移動した様子を示す。
【図３】同、ポンプゲートを上流側から見た一部断面正面図であり、扉体を開位置に移動した様子を示す。
【図４】同、ポンプゲートの扉体の平面図である。
【図５】図２におけるＸ−Ｘ矢視図である。
【図６】同、ポンプゲートの扉体の側面図である。
【図７】同、ポンプゲートの一部断面側面図であり、扉体を閉位置に移動した様子を示す。
【図８】同、ポンプゲートを上流側から見た一部断面正面図であり、扉体を閉位置に移動した様子を示す。
【図９】同、ポンプゲートの扉体とガイドレールの側面図であり、扉体を閉位置に移動した様子を示す。
【図１０】図９におけるＸ−Ｘ矢視図である。
【図１１】本発明の第２の実施の形態におけるポンプゲートの扉体とガイドレールの側面図であり、扉体を開位置に移動した様子を示す。
【図１２】図１１におけるＸ−Ｘ矢視図である。
【図１３】同、ポンプゲートの上部第１楔と上部第２楔とのガイドレールへの取付構造を示す拡大図である。
【図１４】図１３におけるＸ−Ｘ矢視図である。
【図１５】同、ポンプゲートの一部断面側面図であり、扉体を開位置に移動した様子を示す。
【図１６】同、ポンプゲートを上流側から見た一部断面正面図であり、扉体を開位置に移動した様子を示す。
【図１７】同、ポンプゲートの一部断面側面図であり、扉体を閉位置に移動した様子を示す。
【図１８】同、ポンプゲートの扉体とガイドレールの側面図であり、扉体を閉位置に移動した様子を示す。
【図１９】図１８におけるＸ−Ｘ矢視図である。
【図２０】同、ポンプゲートの扉体とガイドレールの側面図であり、扉体を退避位置に移動した様子を示す。
【図２１】本発明の第３の実施の形態におけるポンプゲートの扉体とガイドレールの側面図であり、扉体を開位置に移動した様子を示す。
【図２２】図２１におけるＸ−Ｘ矢視図である。
【図２３】同、ポンプゲートの上部第１楔と上部第２楔とのガイドレールへの取付構造を示す拡大図である。
【図２４】同、ポンプゲートの一部断面側面図であり、扉体を開位置まで移動した様子を示す。
【図２５】同、ポンプゲートを上流側から見た一部断面正面図であり、扉体を開位置まで移動した様子を示す。
【図２６】同、ポンプゲートの一部断面側面図であり、扉体を閉位置まで移動した様子を示す。
【図２７】同、ポンプゲートの扉体とガイドレールの側面図であり、扉体を閉位置まで移動した様子を示す。
【図２８】図２７におけるＸ−Ｘ矢視図である。
【図２９】同、ポンプゲートの扉体とガイドレールの側面図であり、扉体を退避位置まで移動した様子を示す。
【図３０】従来のポンプゲートの平面図である。
【図３１】同、ポンプゲートの一部断面側面図である。
【発明を実施するための形態】
【００２８】
以下、本発明における実施の形態を、図面を参照して説明する。尚、既に上記背景技術で述べた従来のものと同じ部材については同一の符号を付記して、詳細な説明を省略する。
【００２９】
（第１の実施の形態）
先ず、第１の実施の形態を図１〜図１０に基づいて説明する。図１〜図６に示すように、１は流水路１０１に設置されて流水路１０１を開閉可能なポンプゲートである。
【００３０】
ポンプゲート１は、昇降自在な扉体２と、扉体２に備えられた２台の横軸ポンプ７と、扉体２を昇降させる昇降装置４と、扉体２を上下方向に案内する左右一対の案内溝１９（戸溝）とを有している。
【００３１】
尚、扉体２に対して支川側水路１０３の側を上流側とし、本川側水路１０４の側を下流側とする。
【００３２】
横軸ポンプ７は、扉体２の幅方向Ｗにおいて並設されており、支川側水路１０３の水３７を吸い込んで本川側水路１０４に強制的に吐出する。また、横軸ポンプ７は吐出口を開閉自在なフラップ型の逆止弁８を有している。
【００３３】
扉体２は、扉本体６と、扉本体６の左右両側部に備えられた上下複数の案内車輪９，１０とを有している。扉本体６の両側部の上下二箇所にはそれぞれ水平方向の車軸２８が設けられ、各案内車輪９，１０は各車軸２８に回転自在に設けられている。
【００３４】
昇降装置４は扉体２の上方に設置されており、昇降装置４と扉本体６とは昇降ロッド１２を介して連結されている。
【００３５】
流水路１０１の両側壁には左右一対の案内レール１４が設けられている。両案内レール１４はそれぞれ、平面視において凹形状のレールであり、扉体２の厚さ方向Ｔにおいて相対向する一対の案内板１５，１６と、一対の案内板１５，１６の外側縁間に設けられた外側板１７とを有している。
【００３６】
案内溝１９は、両案内レール１４に形成されており、扉体２の厚さ方向Ｔにおいて相対向する一対の案内面１５ａ，１６ａを有している。扉体２の両側端部（すなわち、案内車輪９，１０および扉本体６の両側端部）が案内溝１９内に挿入されている。
【００３７】
尚、図２，図５，図１０に示すように、案内車輪９，１０と案内板１５との間には隙間３６が形成され、これにより、扉体２は、案内レール１４に対して、厚さ方向Ｔにおける僅かな遊び（がたつき）を有している。
【００３８】
扉本体６の上流側の面の両側部にはそれぞれ、扉体２が幅方向Ｗに振れるのを防止するための振れ止め用ローラ２７が設けられている。これら振れ止め用ローラ２７は、扉本体６と共に、上流側の案内板１５に案内されて転動自在に昇降する。
【００３９】
また、扉本体６の下流側の面には、ゴム等からなる四角枠形状のシール部材１１が設けられている。
【００４０】
一方の案内レール１４の下流側の案内板１６と他方の案内レール１４の下流側の案内板１６との間には横部材２１が設けられている。両方の下流側の案内板１６と横部材２１とで戸当り２２が形成されている。
【００４１】
扉体２の昇降経路上には、扉体２が最下位まで下降して流水路１０１を閉鎖する閉位置ＰＳ（図７〜図９参照）と、流水路１０１内の水面３８上に上昇している開位置ＰＯ（図１〜図３参照）とが設定されている。
【００４２】
両案内溝１９内にはそれぞれ、下から順に、下部第１楔２９と下部第２楔３０と上部第１楔３１（押圧部の一例）と上部第２楔３２（押圧部の一例）とが設けられている。これら下部第１楔２９と下部第２楔３０と上部第１楔３１と上部第２楔３２とは、案内溝１９内の上流側の案内面１５ａの高さの異なる箇所に取り付けられている。また、下部第１および上部第２楔２９，３２の組（グループ）と下部第２楔３０と上部第１楔３１とは扉体２の幅方向Ｗにおいて異なる箇所に配置されている。
【００４３】
また、扉体２は上部押圧補助部２５と下部押圧補助部２６とを有している。これら上部押圧補助部２５と下部押圧補助部２６とは、扉本体６の上流側の面の両側部に設けられ、扉本体６から上流側へ突出している。
【００４４】
下部第１楔２９は、図９，図１０に示すように、閉位置ＰＳまで下降した扉体２の下部案内車輪１０を扉体２の厚さ方向Ｔに押付けて案内溝１９の下流側の案内面１６ａに固定するためのものである。
【００４５】
下部第２楔３０は、図９，図１０に示すように、閉位置ＰＳまで下降した扉体２の上部押圧補助部２５に当接して、扉本体６を扉体２の厚さ方向Ｔに押付けて案内溝１９の下流側の案内面１６ａと横部材２１（戸当り２２）とに固定するためのものである。
【００４６】
上部第１楔３１は、図２，図５に示すように、開位置ＰＯまで上昇した扉体２の下部押圧補助部２６に当接して、扉本体６を扉体２の厚さ方向Ｔに押付けて案内溝１９の下流側の案内面１６ａ（案内溝の内面の一例）に固定するためのものである。
【００４７】
上部第２楔３２は、図２，図５に示すように、開位置ＰＯまで上昇した扉体２の上部案内車輪９を扉体２の厚さ方向Ｔに押付けて案内溝１９の下流側の案内面１６ａ（案内溝の内面の一例）に固定するためのものである。
【００４８】
尚、下部第１楔２９と下部第２楔３０と上部押圧補助部２５とはそれぞれ、下位ほど下流側へ向かう傾斜面を有している。また、上部第１楔３１と上部第２楔３２と下部押圧補助部２６とはそれぞれ、上位ほど下流側へ向かう傾斜面を有している。
【００４９】
上記構成における作用を以下に説明する。
【００５０】
図１〜図５に示すように、昇降装置４を作動して、扉体２を閉位置ＰＳから開位置ＰＯまで上昇させることにより、扉体２は両案内溝１９に案内されて上昇し、扉体２の下部押圧補助部２６が下方から上昇しつつ上部第１楔３１に当接して、扉本体６が厚さ方向Ｔに押付けられて案内溝１９の下流側の案内面１６ａに固定されるとともに、扉体２の上部案内車輪９が下方から上昇しつつ上部第２楔３２に当接して、上部案内車輪９が扉体２の厚さ方向Ｔに押付けられて案内溝１９の下流側の案内面１６ａに固定される。
【００５１】
これにより、扉体２を流水路１０１内の水面３８上に上昇させた開状態で、案内レール１４に対する扉体２の遊び（がたつき）が無くなって、扉体２が案内レール１４に固定される。このため、地震や強風等が発生しても、異音が発生したり開状態の扉体２の一部（案内車輪９，１０等）や案内溝１９の一部（案内面１５ａ，１６ａ等）が損傷するのを防止することができる。
【００５２】
このように扉体２を開位置ＰＯまで上昇させることにより、扉体２が流水路１０１内の水面３８よりも上方に位置し、流水路１０１内の水３７が支川側水路１０３から本川側水路１０４へ自然流下する。
【００５３】
また、このような開状態で、横軸ポンプ７を起動させ、横軸ポンプ７を空運転しながら所定の管理項目について測定を行うことにより、ポンプゲート１の管理運転を実施することができる。尚、所定の管理項目とは、例えば、横軸ポンプ７の電流、振動、騒音、回転数、消費電力、温度等が挙げられる。
【００５４】
これらの管理項目については、予め、工場又は設置現場等にて正常時における横軸ポンプ７の空運転の電流値、振動振幅値、騒音値、回転数値、消費電力値、温度値、圧力値を測定して、それぞれの管理項目についての標準測定データを作成しておき、管理運転時に測定された電流値、振動振幅値、騒音値、回転数値、消費電力値、温度値と標準測定データとを比較する。
【００５５】
上記のようなポンプゲート１の管理運転によると、図１，図２に示すように、扉体２を閉鎖せずに開状態で管理運転を行うため、扉体２を開閉する手間が省け、管理運転を容易に行うことができる。
【００５６】
また、管理運転を実施している際、扉体２は流水路１０１内の水面３８上に露出しているため、横軸ポンプ７の運転状況を外部から容易に目視確認することができる。
【００５７】
また、開位置ＰＯにおいて、扉体２が案内レール１４に固定されるため、管理運転中に、横軸ポンプ７の振動で扉体２が案内レール１４に対してがたつくのを防止することができ、これにより、所定の管理項目に関する正確な測定値を得ることができ、横軸ポンプ７の不具合の有無を確認することができる。
【００５８】
平常時の場合は上記のように扉体２を開状態にしているが、集中豪雨等の増水により本川側水路１０４の水位が上昇した場合、本川側水路１０４から支川側水路１０３への逆流を防止するために、図７〜図１０に示すように、扉体２を開位置ＰＯから閉位置ＰＳまで下降させ、横軸ポンプ７を作動する。これにより、支川側水路１０３の水３７が横軸ポンプ７の吸込口から吸い込まれ、横軸ポンプ７の逆止弁８が開いて、横軸ポンプ７内の水３７が吐出口から本川側水路１０４に吐出される。このため、支川側水路１０３から本川側水路１０４へ水３７が緊急かつ強制的に排水される。
【００５９】
この際、図９，図１０に示すように、閉位置ＰＳまで下降した扉体２の上部押圧補助部２５が下部第２楔３０に上方から当接して、扉本体６が厚さ方向Ｔに押付けられて案内溝１９の下流側の案内面１６ａと横部材２１（戸当り２２）に固定されるとともに、扉体２の下部案内車輪１０が下部第１楔２９に上方から当接して、下部案内車輪１０が扉体２の厚さ方向Ｔに押付けられて案内溝１９の下流側の案内面１６ａ（戸当り２２）に固定される。
【００６０】
これにより、扉本体６のシール部材１１が戸当り２２（すなわち下流側の案内面１６ａと横部材２１）に押付けられて圧縮するため、扉本体６と戸当り２２との間の水密性が確保される。
【００６１】
尚、扉体２が案内レール１４に案内されて昇降している際、振れ止め用ローラ２７が上流側の案内板１５に当接して転動することにより、扉体２が幅方向Ｗに振れることを防止している。
【００６２】
（第２の実施の形態）
以下に第２の実施の形態について、図１１〜図２０に基づいて説明する。尚、上記第１の実施の形態のものと同じ部材については同一の符号を付記して、詳細な説明を省略する。
【００６３】
扉体２の昇降経路上には、閉位置ＰＳ（図１７，図１８参照）と、開位置ＰＯ（図１１，図１５参照）と、開位置ＰＯよりも上方に位置する退避位置Ｐ１（図１１，図１５，図２０参照）とが設定されている。尚、図１１，図２０に示すように、開位置ＰＯと退避位置Ｐ１との高低差Ｂは扉体２の全高Ｈよりも大きく設定されている。
【００６４】
両案内溝１９内にはそれぞれ、下から順に、下部第１楔２９と下部第２楔３０と上部第１楔５１（押圧部の一例）と上部第２楔５２（押圧部の一例）とが設けられている。これら下部第１楔２９と下部第２楔３０と上部第１楔５１と上部第２楔５２とは、案内溝１９内の上流側の案内面１５ａの高さの異なる箇所に取り付けられている。また、下部第１および上部第１楔２９，５１の組（グループ）と下部第２および上部第２楔３０，５２の組（グループ）とは扉体２の幅方向Ｗにおいて異なる箇所に配置されている。
【００６５】
また、扉体２は上部押圧補助部２５を有している。
【００６６】
上部第１楔５１は、図１１，図１２に示すように、開位置ＰＯにおいて扉体２の下部案内車輪１０を扉体２の厚さ方向Ｔに押付けて案内溝１９の下流側の案内面１６ａに固定するためのものである。
上部第２楔５２は、開位置ＰＯにおいて扉体２の上部押圧補助部２５に当接して、扉本体６を扉体２の厚さ方向Ｔに押付けて案内溝１９の下流側の案内面１６ａに固定するためのものである。
【００６７】
尚、上部第１楔５１と上部第２楔５２と上部押圧補助部２５とはそれぞれ、下位ほど下流側へ向かう傾斜面を有している。
【００６８】
図１３，図１４に示すように、上部第１楔５１は、上流側の案内板１５の開位置ＰＯに対応する箇所に着脱自在であり、楔本体５５と、楔本体５５に設けられた複数の係合部材５６とを有している。尚、係合部材５６は先端部が下向きにＬ形状に屈曲した係合突部５７を有しており、楔本体５５と係合突部５７との間に凹部５８が形成されている。また、上流側の案内板１５には複数の係合孔５９が形成されている。尚、係合孔５９は、内周下部に、上向きに突出する係合突片６０を有している。
【００６９】
係合部材５６を係合孔５９に挿入し、凹部５８に係合突片６０を嵌め込むことにより、係合突部５７と係合突片６０とが係合し、上部第１楔５１が上流側の案内板１５に取付けられて固定される。また、係合突部５７を係合突片６０から離脱することにより、上部第１楔５１が上流側の案内板１５から取り外される。
【００７０】
上部第２楔５２についても、上流側の案内板１５の開位置ＰＯに対応する箇所に着脱自在であり、上記上部第１楔５１と同様な構成を有している。
【００７１】
上記構成における作用を以下に説明する。
【００７２】
図２０の実線で示すように、上部第１楔５１と上部第２楔５２とを上流側の案内板１５から取り外した状態で、昇降装置４を作動させて、扉体２を閉位置ＰＳから退避位置Ｐ１まで上昇させることにより、扉体２は両案内溝１９に案内されて上昇し、開状態になる。
【００７３】
この際、上記のように上部第１楔５１と上部第２楔５２とを取り外しているため、上部第１楔５１と上部第２楔５２とが扉体２の上昇を妨害することはなく、扉体２を確実に退避位置Ｐ１に上昇させることができる。
【００７４】
その後、上記のように扉体２を開状態にしたままで、図２０の仮想線で示すように、上部第１楔５１と上部第２楔５２とを上流側の案内板１５に取付ける。この際、扉体２は開位置ＰＯよりも上方の退避位置Ｐ１に退避しているため、扉体２が上部第１および第２楔５１，５２の取付作業を妨害することはなく、上部第１および第２楔５１，５２を確実に上流側の案内板１５に取り付けることができる。
【００７５】
その後、図１１，図１２，図１５，図１６に示すように、扉体２を退避位置Ｐ１から開位置ＰＯに下降することにより、扉体２の上部押圧補助部２５が上方から下降しつつ上部第２楔５２に当接して、扉本体６が厚さ方向Ｔに押付けられて案内溝１９の下流側の案内面１６ａに固定されるとともに、扉体２の下部案内車輪１０が上方から下降しつつ上部第１楔５１に当接して、下部案内車輪１０が扉体２の厚さ方向Ｔに押付けられて案内溝１９の下流側の案内面１６ａに固定される。
【００７６】
これにより、扉体２を流水路１０１内の水面３８上に上昇させた開状態で、案内レール１４に対する扉体２の遊び（がたつき）が無くなって、扉体２が案内レール１４に固定される。このため、地震や強風等が発生しても、異音が発生したり開状態の扉体２の一部（案内車輪９，１０等）や案内溝１９の一部（案内面１５ａ，１６ａ等）が損傷するのを防止することができる。
【００７７】
このように扉体２を開位置ＰＯまで上昇させることにより、扉体２が流水路１０１内の水面３８よりも上方に位置し、流水路１０１内の水３７が支川側水路１０３から本川側水路１０４へ自然流下する。
【００７８】
また、この開状態で、横軸ポンプ７を空運転しながら所定の管理項目について測定を行うことにより、ポンプゲート１の管理運転を実施することができる。
【００７９】
平常時の場合は上記のように扉体２を開状態にしているが、集中豪雨等の増水により本川側水路１０４の水位が上昇した場合、本川側水路１０４から支川側水路１０３への逆流を防止するために、図２０の実線で示すように、扉体２を開位置ＰＯから一旦退避位置Ｐ１まで上昇させ、この状態で上部第１楔５１と上部第２楔５２とを上流側の案内板１５から取り外す。この際、扉体２は開位置ＰＯよりも上方の退避位置Ｐ１に退避しているため、扉体２が上部第１および第２楔５１，５２の取外し作業を妨害することはなく、上部第１および第２楔５１，５２を確実に上流側の案内板１５から取り外すことができる。
【００８０】
その後、図１７〜図１９に示すように、扉体２を退避位置Ｐ１から閉位置ＰＳまで下降させる。この際、上記のように上部第１楔５１と上部第２楔５２とを取り外しているため、上部第１楔５１と上部第２楔５２とが扉体２の下降を妨害することはなく、扉体２を確実に閉位置ＰＳに下降させることができる。
【００８１】
そして、横軸ポンプ７を作動することにより、支川側水路１０３の水３７が横軸ポンプ７の吸込口から吸い込まれ、横軸ポンプ７の逆止弁８が開いて、横軸ポンプ７内の水３７が吐出口から本川側水路１０４に吐出される。このため、支川側水路１０３から本川側水路１０４へ水３７が緊急かつ強制的に排水される。
【００８２】
上記第２の実施の形態では、図１３に示すように、楔５１，５２をガイドレール１４に着脱自在に固定する構造として、係合部材５６と係合孔５９を用いた係合方式の連結構造を採用しているが、ねじ部材とナットを用いた連結構造であってもよい。
【００８３】
（第３の実施の形態）
以下に第３の実施の形態について図２１〜図２９に基づいて説明する。尚、上記第１の実施の形態のものと同じ部材については同一の符号を付記して、詳細な説明を省略する。
【００８４】
扉体２の昇降経路上には、閉位置ＰＳ（図２６，図２７参照）と、開位置ＰＯ（図２１，図２４，図２５参照）と、開位置ＰＯよりも上方に位置する退避位置Ｐ２（図２１，図２４，図２９参照）とが設定されている。尚、図２１，図２９に示すように、開位置ＰＯと退避位置Ｐ２との高低差Ｂは扉体２の全高Ｈよりも小さく設定されている。
【００８５】
両案内溝１９内にはそれぞれ、下から順に、下部第１楔２９と下部第２楔３０と上部第１楔６１（押圧部の一例）と上部第２楔６２（押圧部の一例）とが設けられている。これら下部第１楔２９と下部第２楔３０と上部第１楔６１と上部第２楔６２とは、案内溝１９内の上流側の案内面１５ａの高さの異なる箇所に取り付けられている。また、下部第１楔２９，上部第１楔６１および上部第２楔６２の組（グループ）と、下部第２楔３０とは、扉体２の幅方向Ｗにおいて異なる箇所に配置されている。
【００８６】
また、扉体２は上部押圧補助部２５を有している。
【００８７】
上部第１楔６１は、図２１，図２２に示すように、開位置ＰＯにおいて扉体２の下部案内車輪１０を扉体２の厚さ方向Ｔに押付けて案内溝１９の下流側の案内面１６ａに固定するためのものである。
上部第２楔６２は、開位置ＰＯにおいて扉体２の上部案内車輪９を扉体２の厚さ方向Ｔに押付けて案内溝１９の下流側の案内面１６ａに固定するためのものである。
【００８８】
尚、上部第１楔６１と上部第２楔６２とはそれぞれ、下位ほど下流側へ向かう傾斜面を有している。
【００８９】
図２３に示すように、上部第１楔６１は、上流側の案内板１５の開位置ＰＯに対応する箇所に着脱自在であり、楔本体６５と複数の貫通孔６６とを有している。また、上流側の案内板１５には複数のねじ孔６９が形成されている。ボルト６７を貫通孔６６に挿入してねじ孔６９に螺合することにより、上部第１楔６１が上流側の案内板１５に取付けられて固定される。また、ボルト６７をねじ孔６９から離脱することにより、上部第１楔６１が上流側の案内板１５から取り外される。
【００９０】
上部第２楔６２についても、上流側の案内板１５の開位置ＰＯに対応する箇所に着脱自在であり、上記上部第１楔６１と同様な構成を有している。
【００９１】
上記構成における作用を以下に説明する。
【００９２】
図２９の実線で示すように、上部第１楔６１と上部第２楔６２とを上流側の案内板１５から取り外した状態で、昇降装置４を作動させて、扉体２を閉位置ＰＳから退避位置Ｐ２まで上昇させることにより、扉体２は両案内溝１９に案内されて上昇し、開状態になる。
【００９３】
この際、上記のように上部第１楔６１と上部第２楔６２とを取り外しているため、上部第１楔６１と上部第２楔６２とが扉体２の上昇を妨害することはなく、扉体２を確実に退避位置Ｐ２に上昇させることができる。
【００９４】
その後、上記のように扉体２を開状態にしたままで、図２９の仮想線で示すように、上部第１楔６１と上部第２楔６２とを上流側の案内板１５に取付ける。この際、扉体２は開位置ＰＯよりも上方の退避位置Ｐ２に退避しているため、扉体２の上部および下部案内車輪９，１０が上部第１および第２楔６１，６２の取付作業を妨害することはなく、上部第１および第２楔６１，６２を確実に上流側の案内板１５に取り付けることができる。
【００９５】
その後、図２１，図２２，図２４，図２５に示すように、扉体２を退避位置Ｐ２から開位置ＰＯに下降することにより、扉体２の下部案内車輪１０が上方から下降しつつ上部第１楔６１に当接して、下部案内車輪１０が扉体２の厚さ方向Ｔに押付けられて案内溝１９の下流側の案内面１６ａに固定されるとともに、上部案内車輪９が上方から下降しつつ上部第２楔６２に当接して、上部案内車輪９が扉体２の厚さ方向Ｔに押付けられて案内溝１９の下流側の案内面１６ａに固定される。
【００９６】
これにより、扉体２を流水路１０１内の水面３８上に上昇させた開状態で、案内レール１４に対する扉体２の遊び（がたつき）が無くなって、扉体２が案内レール１４に固定される。このため、地震や強風等が発生しても、開状態の扉体２の一部（案内車輪９，１０等）や案内溝１９の一部（案内面１５ａ，１６ａ等）が損傷するのを防止することができる。
【００９７】
このように扉体２を開位置ＰＯまで上昇させることにより、扉体２が流水路１０１内の水面３８よりも上方に位置し、流水路１０１内の水３７が支川側水路１０３から本川側水路１０４へ自然流下する。
【００９８】
また、この開状態で、横軸ポンプ７を空運転しながら所定の管理項目について測定を行うことにより、ポンプゲート１の管理運転を実施することができる。
【００９９】
平常時の場合は上記のように扉体２を開状態にしているが、集中豪雨等の増水により本川側水路１０４の水位が上昇した場合、本川側水路１０４から支川側水路１０３への逆流を防止するために、図２９の実線に示すように、扉体２を開位置ＰＯから一旦退避位置Ｐ２まで上昇させ、この状態で上部第１楔６１と上部第２楔６２とを上流側の案内板１５から取り外す。この際、扉体２は開位置ＰＯよりも上方の退避位置Ｐ２に退避しているため、扉体２の上部および下部案内車輪９，１０が上部第１および第２楔６１，６２の取外し作業を妨害することはなく、上部第１および第２楔６１，６２を確実に上流側の案内板１５から取り外すことができる。
【０１００】
その後、図２６〜図２８に示すように、扉体２を退避位置Ｐ２から閉位置ＰＳまで下降させる。この際、上記のように上部第１楔６１と上部第２楔６２とを取り外しているため、上部第１楔６１と上部第２楔６２とが扉体２の下降を妨害することはなく、扉体２を確実に閉位置ＰＳに下降させることができる。
【０１０１】
そして、横軸ポンプ７を作動することにより、支川側水路１０３の水３７が横軸ポンプ７の吸込口から吸い込まれ、横軸ポンプ７の逆止弁８が開いて、横軸ポンプ７内の水３７が吐出口から本川側水路１０４に吐出される。このため、支川側水路１０３から本川側水路１０４へ水３７が緊急かつ強制的に排水される。
【０１０２】
上記第３の実施の形態では、図２３に示すように、楔６１，６２をガイドレール１４に着脱自在に固定する構造として、ボルト６７とねじ孔６９とを用いた埋込みボルト方式の連結構造を採用しているが、上記第２の実施の形態のような係合方式の連結構造であってもよい。
【０１０３】
また、上記第２の実施の形態では、図１３に示すように、楔５１，５２をガイドレール１４に着脱自在に固定する構造として、係合方式の連結構造を採用しているが、上記第３の実施の形態のような埋込みボルト方式の連結構造であってもよい。
【０１０４】
上記各実施の形態では、ゲートの一例として、扉体２に横軸ポンプ７を備えたポンプゲート１を挙げたが、扉体２に横軸ポンプ７を備えていない通常のゲートであってもよい。
【符号の説明】
【０１０５】
１          ポンプゲート
２          扉体
４          昇降装置
７          横軸ポンプ
１６ａ      案内面（案内溝の内面）
１９        案内溝
２５，２６  押圧補助部
３１，５１，６１  上部第１楔（押圧部）
３２，５２，６２  上部第２楔（押圧部）
Ｔ          扉体の厚さ方向
Ｗ          扉体の幅方向
ＰＯ        開位置
Ｐ１，Ｐ２  退避位置
【図１】
2020084424.tif 000003
【図２】
2020084424.tif 000004
【図３】
2020084424.tif 000005
【図４】
2020084424.tif 000006
【図５】
2020084424.tif 000007
【図６】
2020084424.tif 000008
【図７】
2020084424.tif 000009
【図８】
2020084424.tif 000010
【図９】
2020084424.tif 000011
【図１０】
2020084424.tif 000012
【図１１】
2020084424.tif 000013
【図１２】
2020084424.tif 000014
【図１３】
2020084424.tif 000015
【図１４】
2020084424.tif 000016
【図１５】
2020084424.tif 000017
【図１６】
2020084424.tif 000018
【図１７】
2020084424.tif 000019
【図１８】
2020084424.tif 000020
【図１９】
2020084424.tif 000021
【図２０】
2020084424.tif 000022
【図２１】
2020084424.tif 000023
【図２２】
2020084424.tif 000024
【図２３】
2020084424.tif 000025
【図２４】
2020084424.tif 000026
【図２５】
2020084424.tif 000027
【図２６】
2020084424.tif 000028
【図２７】
2020084424.tif 000029
【図２８】
2020084424.tif 000030
【図２９】
2020084424.tif 000031
【図３０】
2020084424.tif 000032
【図３１】
2020084424.tif 000033